(57)【要約】      （修正有）【課題】未記録の光ディスクであっても、高品質なマークが記録された光ディスクを用いた場合と同様の品質のＲＦ信号を得られるようにし、ＲＦ信号を指標とした各種調整を実施できるようにする。【解決手段】レーザに直流電流と交流電流を供給するとともに発光パワーを検出し、発光パワーが目標パワーとなるよう直流電流供給手段の供給電流を制御するとともに、直流電流供給手段の供給電流は、少なくともレーザのしきい値電流以上であって、交流電流供給手段の供給電流は、直流電流供給手段の供給電流の上に重畳される。【選択図】図１
2012043505.tif 000002
【特許請求の範囲】
【請求項１】
光ディスク装置であって、
光ディスクに光線を照射するレーザと、
前記レーザに直流電流を供給する直流電流供給手段と、
前記レーザに交流電流を供給する交流電流供給手段と、
前記レーザの発光パワーを検出する発光パワー検出手段と、
前記発光パワー検出手段を通じて前記レーザの発光パワーを監視し、前記レーザの発光パワーが目標パワーとなるよう前記直流電流供給手段の供給電流を制御する発光パワー制御手段と、
前記発光パワー制御手段に対して前記目標パワーを与える目標パワー設定手段と、を備え、
前記直流電流供給手段の供給電流は、少なくとも前記レーザのしきい値電流以上であって、交流電流供給手段の供給電流は、前記直流電流供給手段の供給電流の上に重畳され、
前記レーザの発光が変調されること、
を特徴とする光ディスク装置。
【請求項２】
請求項１に記載の光ディスク装置であって、
前記発光パワー検出手段において発光パワーの最大値が検出され、
前記発光パワー検出手段が検出する最大発光パワーと、前記目標パワー設定手段から与えられる目標パワーとが一致するよう発光パワー制御手段が前記直流電流供給手段の供給電流を制御すること、
を特徴とする光ディスク装置。
【請求項３】
請求項１に記載の光ディスク装置であって、
前記発光パワー検出手段において発光パワーの最小値が検出され、
前記発光パワー検出手段が検出する最小発光パワーと、前記目標パワー設定手段から与えられる目標パワーとが一致するよう発光パワー制御手段が前記直流電流供給手段の供給電流を制御すること、
を特徴とする光ディスク装置。
【請求項４】
請求項１から請求項３のいずれかに記載の光ディスク装置であって、
未記録の光ディスク、あるいは、記録済みの光ディスクの未記録領域にレーザを照射し、光ディスクからの反射光に基づいて調整処理を実行すること
を特徴とする光ディスク装置。
【発明の詳細な説明】
【技術分野】
【０００１】
本発明は、光ディスク装置に関するものである。
【背景技術】
【０００２】
光ディスク装置では、光ディスクに記録されたマークを再生する際に得られるRF信号の振幅等に基づいた各種調整が行われる。その一例が下記特許文献に記載されている。
【先行技術文献】
【特許文献】
【０００３】
【特許文献１】特開２００６−３０２３６３号公報
【発明の概要】
【発明が解決しようとする課題】
【０００４】
光ディスク装置において、RF信号を用いた各種調整を実施するためには、光ディスクにマークが記録されている必要がある。通常、記録可能な光ディスクは、初期状態は未記録であり、マークが記録されていない。そのため、マークが記録されない限りにおいては、RF信号を用いた調整は、光ディスクの未記録領域から得られるRF信号を用いた調整に制限される。
【０００５】
光ディスクに一度、マークが記録されさえすれば、通常のRF信号を得られるようにはなるが、RF信号の品質は、記録されたマークの品質に依存し、その品質が調整精度に影響を与える。そのため、RF信号を調整に用いる場合は、光ディスクに品質の良いマークを記録しておく必要がある。
【０００６】
本発明は、未記録の光ディスクであっても、高品質なマークが記録された光ディスクを用いた場合と同様の品質のRF信号を得られるようにし、RF信号を指標とした各種調整を実施できるようにすることを目的とする。
【課題を解決するための手段】
【０００７】
上記目的は、一例として、特許請求の範囲に記載の発明により達成される。
【発明の効果】
【０００８】
本発明により、未記録の光ディスクであっても、高品質なマークが記録された光ディスクを用いた場合と同様の品質のRF信号が得られるようになり、RF信号を指標とした各種調整を実施することができるようになる。
【図面の簡単な説明】
【０００９】
【図１】本実施形態におけるレーザ発光制御を実現するための光ディスク装置の一部を構成する要素を示した図である。
【図２】本実施形態におけるレーザ供給電流波形、及びレーザ発光波形を示した図である。
【発明を実施するための形態】
【００１０】
本発明は、光ディスクに照射するレーザ光線の発光波形を変調制御することにより、未記録の光ディスクであっても、マークが記録された光ディスクと同様のRF信号を得られるようにするものである。
【００１１】
本実施形態では、レーザ光線の発光波形を、レーザに供給する電流波形の変調制御によって実現する。これを、図２を用いて説明する。
【００１２】
図２は、レーザの供給電流対発光パワーの関係を表わしたグラフである。横軸がレーザ供給電流、縦軸が発光パワーであり、同図２０１が、レーザの供給電流対発光パワー特性である。同図２０２は、グラフの原点を表わし、原点２０２においては、供給電流はゼロであり、発光パワーもゼロであることを表わす。また、同図２０３は、レーザのしきい値電流であり、このしきい値電流２０３を超えるとレーザが発光することを表わす。
【００１３】
一例として、図２の２０４のごとき波形の電流をレーザに供給したとする。電流２０４は、正弦波状の波形をしており、電流値２０５と電流値２０６と間を周期的に往復する電流である。このような電流２０４をレーザに供給すれば、レーザの発光波形は、発光パワー２０７と発光パワー２０８との間を周期的に繰り返す２０９のごとき正弦波となる。この２０９のごとき発光波形のレーザ光線を未記録ディスクに照射すれば、その反射光は正弦波状になり、光ディスク装置では、やはり正弦波状のRF信号が得られる。正弦波状のRF信号は、同一長のマークが繰り返し記録された光ディスクにレーザ光線を照射した場合に得られるが、本実施形態によれば、これを未記録の光ディスクから得られるようになる訳である。
【００１４】
レーザに供給する電流の波形は、所望のRF信号波形が得られるよう調整するとよい。例えば、電流２０４をレーザに供給した場合に比較して、より大きな振幅、かつ、より大きな周期のRF信号波形を得たい場合は、図２の２１０のごとき波形の電流をレーザに供給すればよい。電流２１０は、正弦波状の波形をしており、電流値２０５と電流値２１１と間を周期的に往復する電流である。この電流２１０は、電流２０４に比較して振幅、周期とも大きくしたものである。このような電流２１０をレーザに供給すれば、レーザの発光波形は、発光パワー２０７と発光パワー２１２との間を周期的に繰り返す２１３のごとき正弦波となり、その振幅、及び周期は、発光波形２０９に比較して大きなものとなる。
【００１５】
この２１３のごとき発光波形のレーザ光線を未記録ディスクに照射すれば、その反射光は正弦波状になり、光ディスク装置では、電流２０４をレーザに供給した場合に比較して、振幅、及び周期においてより大きな正弦波状のRF信号が得られる。このように本発明によれば、より大きなマークが繰り返し記録された光ディスクを用いる場合に得られるRF信号が、未記録の光ディスクであっても得られるようになる。
【００１６】
以上、例をもって示したように、レーザに供給する電流の波形を制御すれば、電流波形に相似したレーザ発光波形が得られ、これを未記録の光ディスクに照射すれば、マークが記録された光ディスクと同様のRF信号を得ることができるようになる。なお、上記例では、電流波形を正弦波としたが、電流波形はこれに限定するものではない。電流波形、発光波形、及びRF信号は相似形となることから、電流波形を様々な形とすれば、RF信号も様々な形のものを得ることができることは言うまでもない。
【００１７】
ただし、レーザには、図２に２０３をもって示したしきい値電流が存在する。レーザに供給する電流が、しきい値電流を挟んで変動すると、レーザの発光波形は、電流波形と相似形とはならない。そこで、本実施形態では、しきい値電流を挟んで電流を変動させないようする。即ち、しきい値電流以上で、電流波形を様々に変化させることで、電流波形と相似形のレーザ発光波形を安定的に得るのである。
【００１８】
また、本実施形態では、レーザの最大発光パワー、あるいは、レーザの最小発光パワーを、発光波形によらず一定になるよう制御する。これは、マークが記録された光ディスクにおいてマークが記録されていない領域からの戻り光量を模すためである。記録されたマーク部分の反射率がマークを記録されていない領域より低下する所謂、High to lowディスクを模す場合は、レーザの最大発光パワーが一定となるよう制御し、これとは逆に記録されたマーク部分の反射率がマークを記録されていない領域より上昇する所謂、Low to highディスクを模す場合は、レーザの最小発光パワーが一定となるよう制御する。
【００１９】
さらに本実施形態は、未記録の光ディスクであってもRF信号を得られるようにする訳であるから、当然ながらレーザに供給する電流の周波数は、RF信号帯域内の周波数とする。また、これも当然ではあるが、レーザの発光により、ディスクを記録しないよう、発光パワーは再生パワー程度とすることが望ましい。High to Lowディスクを模す場合は、最大発光パワーを、当該ディスクの通常再生パワー相当とするのがよく、Low to Highディスクを模す場合は、最小発光パワーを、当該ディスクの通常再生パワー相当とするのがよい。
【００２０】
以上、説明したレーザの電流波形制御の実施形態を、図１を用いて説明する。図１は、本実施形態のレーザ発光制御を実施するために必要となる光ディスク装置の一部を構成する要素である。
【００２１】
図１において、
１０１は、レーザである。電流を供給されると光線を発する。
【００２２】
１０２は、レーザ１０１に、直流電流を供給する直流電流供給手段である。
【００２３】
１０３は、直流電流供給手段１０２が供給する直流電流に任意の波形の交流を重畳する、交流電流供給手段である。
【００２４】
１０４は、レーザ１０１の発光パワーを検出する発光パワー検出手段である。
【００２５】
１０５は、発光パワー検出手段１０４を通じてレーザ１０１の発光パワーを監視し、同発光パワーが目標とするパワーとなるよう直流電流供給１０２がレーザ１０１に供給する電流量を制御する発光パワー制御手段である。
【００２６】
１０６は、発光パワー制御手段１０５に目標パワーを与える目標パワー設定手段である。
【００２７】
図２に示した電流２０４、及び電流２１０のごとき、交流電流は、図１に示した重畳電流手段１０３によって供給される。また、図１に示した直流電流手段１０２からは、少なくともレーザのしきい値以上の直流電流が供給される。このようにレーザの供給する電流を制御することで、交流電流波形に相似したレーザ発光波形が得られる。
【００２８】
直流電流手段１０２がレーザ１０１に供給する電流量は、発光パワー制御手段１０５によって制御されるが、発光パワー検出手段１０４が最大発光パワーを検出するようにすれば、発光パワー制御手段１０５は、目標パワー設定手段１０６が与える目標パワーと最大発光パワーとが一致するよう直流電流供給手段１０２の供給電流を制御する。
【００２９】
また、発光パワー検出手段１０４が最小発光パワーを検出するようにすれば、発光パワー制御手段１０５は、目標パワー設定手段１０６が与える目標パワーと最小発光パワーとが一致するよう直流電流供給手段１０２の供給電流を制御する。これにより、High to Low、Low to high、両ディスクのRF信号を模すことができる。
【００３０】
なお、発光パワー検出手段１０４が平均発光パワーを検出するようにすると、発光パワー制御手段１０５は、目標パワー設定手段が与える目標パワーと平均発光パワーとが一致するよう直流電流供給手段１０２の供給電流を制御する。この場合、レーザの発光波形によって最大発光パワー、最小発光パワーが変動することとなる。発光パワー検出手段１０４が平均発光パワーを検出するようにしたうえで、最大発光パワー、あるいは、最小発光パワーを発光波形によらず一定にしたい場合は、発光波形に応じて目標パワー設定手段１０６が与え目標パワーを調整するとよい。
【００３１】
以上、示したように、本実施形態によれば、未記録の光ディスクであっても、マークが記録された光ディスクと同様のRF信号を得ることができ、未記録の光ディスクを用いてRF信号を指標とした各種調整を行うことができるようになる。
【００３２】
本実施形態によって得られるRF信号の品質は、レーザに供給する電流波形を安定化することで、常に良好なものとなるため、RF信号を指標とした各種調整を、高い精度の下、実施することができる。
【００３３】
また、本実施形態は、マークが記録されたディスクにおいても、未記録領域を使用することで、未記録の光ディスクと同等の効果を得られる。
【００３４】
なお、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【００３５】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００３６】
１０１  レーザ
１０２  直流電流供給手段
１０３  交流電流供給手段
１０４  発光パワー検出手段
１０５  発光パワー制御手段
１０６  目標パワー設定手段
【図１】
2012043505.tif 000003
【図２】
2012043505.tif 000004